(57)【要約】【課題】  本考案は、農作業、山仕事の際に、ズボンと長靴との隙間からゴミや塵が入るのを防ぐために長靴上部を覆うことができる臑用防塵スパッツを提供することを目的とする。【解決手段】  本考案の臑用防塵スパッツは、防水性繊維素材から形成された、膝下から踝までの長さを有する円筒状のスパッツ本体１からなり、該スパッツ本体１の上縁には折返しによりゴムテープを縫着して伸縮自在とすると共に、１個所に上縁から下方にスリット２を形成し、該スリット２を挟んで一方の上縁片には裏側に面ファスナー４を固定した細長帯状の締結片３を設け、他方の上縁片には前記締結片の面ファスナー４が係合する面ファスナー５を設け、さらに前記スパッツ本体１の下縁から上方に１個所の切れ目６を形成し、該切れ目６を挟んで一方の下縁片の裏側に面ファスナー５を設け、他方の下縁片の表側には前記面ファスナー５が係合する面ファスナー４を設けるものである。【選択図】  図１
0003105461.tif 000002
【実用新案登録請求の範囲】
【請求項１】
防水性繊維素材から形成された、膝下から踝までの長さを有する円筒状のスパッツ本体からなり、該スパッツ本体の上縁には折返しによりゴムテープを縫着して伸縮自在とすると共に、１個所に上縁から下方に向ってスリットを形成し、該スリットを挟んで一方の上縁片には細長帯状の裏側に面ファスナーを固定した締結片を設け、他方の上縁片には前記締結片の面ファスナーが係合する面ファスナーを設け、さらに前記スパッツ本体の下縁から上方に向って１個所の切れ目を形成し、該切れ目を挟んで一方の下縁片の裏側に面ファスナーを設け、他方の下縁片の表側には前記面ファスナーが重合係止する面ファスナーを設けることを特徴とする臑用防塵スパッツ。
【考案の詳細な説明】
【技術分野】
【０００１】
本考案は、農作業、山仕事の際に、ズボンと長靴との隙間からゴミや塵が入るのを防ぐために長靴上部を覆うことができる臑（すね）用防塵スパッツに関する。
【背景技術】
【０００２】
従来、農作業、山仕事の際には、長靴を使用してズボンの裾を長靴の中に入れて作業を行っており、足元の保護のためにそれなりに効果を発揮している。
しかし、単にズボンの裾を長靴の中に入れるだけでは、ズボンと長靴の隙間からゴミや塵が入り、足の裏にゴミや塵が当たって痛かったり、ソックスが汚れたりする欠点があった。
一方、登山靴の靴紐部分に雨水が降りかかるのを防止するものとして、登山靴を履いた歩行者の臑（すね）と当該登山靴とに跨って覆いをかけるためのスパッツが公知となっている（特許文献１参照）。
【０００３】
【特許文献１】特開平１１−２０６４０４号公報
【考案の開示】
【考案が解決しようとする課題】
【０００４】
本考案は、農作業、山仕事の際に、ズボンと長靴との隙間からゴミや塵が入るのを防ぐために長靴上部を覆うことができる臑用防塵スパッツを提供することを目的とする。
【課題を解決するための手段】
【０００５】
そのため、本考案の臑用防塵スパッツは、防水性繊維素材から形成された、膝下から踝までの長さを有する円筒状のスパッツ本体からなり、該スパッツ本体の上縁には折返しによりゴムテープを縫着して伸縮自在とすると共に、１個所に上縁から下方にスリットを形成し、該スリットを挟んで一方の上縁片には裏側に面ファスナーを固定した細長帯状の締結片を設け、他方の上縁片には前記締結片の面ファスナーが係合する面ファスナーを設け、さらに前記スパッツ本体の下縁から上方に１個所の切れ目を形成し、該切れ目を挟んで一方の下縁片の裏側に面ファスナーを設け、他方の下縁片の表側には前記面ファスナーが係合する面ファスナーを設けるものである。
【考案の効果】
【０００６】
本考案の臑用防塵スパッツは、農作業、山仕事の際に、長靴上部を覆うことができるので、長靴からゴミや塵が入るのを防ぐため、ズボンと長靴の隙間からゴミや塵が入り、足の裏にゴミや塵が当たって痛かったり、ソックスが汚れたりすることがない。
【考案を実施するための最良の形態】
【０００７】
本考案の臑用防塵スパッツは、防水性繊維素材から形成された、膝下から踝までの長さを有する円筒状のスパッツ本体からなる。
前記スパッツ本体の上縁には折返しによりゴムテープを縫着して伸縮自在とすると共に、１個所に上縁から下方に向ってスリットを形成し、該スリットを挟んで一方の上縁片には裏側に面ファスナーを固定した細長帯状の締結片を設け、他方の上縁片には前記締結片の面ファスナーが係合する面ファスナーを設ける。
さらに、前記スパッツ本体の下縁から上方に向って１個所の切れ目を形成し、該切れ目を挟んで一方の下縁片の裏側に面ファスナーを設け、他方の下縁片の表側には前記面ファスナーが重合係止する面ファスナーを設ける。
【０００８】
本考案の臑用防塵スパッツの一実施例を図面に基づいて、以下に説明する。
本考案の臑（すね）用防塵スパッツは、図１の正面図に示すように、防水性繊維素材から形成された、膝下から踝（くるぶし）までの長さを有する円筒状のスパッツ本体１からなり、該スパッツ本体１の上縁には折返しによりゴムテープ（図示せず）を縫着して伸縮自在とすると共に、１個所に上縁から下方にスリット２を形成し、該スリット２を挟んで一方の上縁片には細長帯状の裏側に面ファスナー（フック）４を固定した締結片３を設け、他方の上縁片には前記締結片３の面ファスナー（フック）４が係合する面ファスナー（ループ）５を設ける。
また、図２の側面図に示すように、前記スパッツ本体１の下縁から上方に１個所の切れ目６を形成し、該切れ目６を挟んで一方の下縁片の裏側に面ファスナー（ループ）５を設け、他方の下縁片の表側には前記面ファスナー（ループ）５が係合する面ファスナー（フック）４を設ける。
なお、面ファスナーのフックとループは、互いに交替して設けることも可能である。
【０００９】
次に、本考案の臑（すね）用防塵スパッツの使用方法について、以下に説明する。
ズボンの裾を長靴の中に入れて長靴を履いたら、スパッツ本体１の全ての面ファスナー４，５を開放した状態で、靴を履く要領でスパッツ本体１で臑（すね）の位置を覆うようにする。
その際、膝下に配置される前記スパッツ本体１の上縁にはゴムテープが縫着されているので、履く時に伸ばしたゴムテープが縮み、膝下部分のズボン及び臑（すね）を仮押さえすることができる。
そして、前記上縁の仮押さえした円周に合わせて締結片３の面ファスナー（フック）４を面ファスナー（ループ）５に重ね合わせ接合し、本押さえする。
さらに、踝（くるぶし）に配置される前記スパッツ本体１の下縁の面ファスナー（フック）４及び面ファスナー（ループ）５も長靴の太さに合わせて重ね合わせ接合し、本押さえする。
こうすることによって、図３に示すように、ズボンと長靴の上方開放の隙間は、上方をゴムテープと締結片３により塞がれ、下方を面ファスナーにより塞がれ、臑（すね）全体は前記スパッツ本体１により押さえられるので、前記隙間からゴミや塵が入り込むことはない。
【図面の簡単な説明】
【００１０】
【図１】本考案の臑用防塵スパッツの正面図である。
【図２】本考案の臑用防塵スパッツの側面図である。
【図３】本考案の臑用防塵スパッツの使用状態の説明図である。
【符号の説明】
【００１１】
１：スパッツ本体
２：スリット
３：締結片
４：面ファスナー（フック）
５：面ファスナー（ループ）
６：切れ目
【図１】
0003105461.tif 000003
【図２】
0003105461.tif 000004
【図３】
0003105461.tif 000005